(57)【特許請求の範囲】
【請求項１】
建物の外壁と該外壁周りに建てられた足場との間に配置され、前記外壁に当接した際の反力にて前記足場の枠体を押圧する足場押圧部材であって、
軸部と、該軸部の軸方向における一端部に設けられて前記外壁に当接する当接部と、該当接部よりも前記軸方向の他端側で前記軸部に組み付けられて前記軸部の外表面上を前記軸方向に沿って移動する可動部と、を有する当接部材と、
前記軸部の前記軸方向における他端側にある先端部が挿入される中空部と、該中空部の外側面に固定されており前記足場の所定部位に締結される締結部と、前記中空部の外側面から突出しており前記反力にて枠体を押圧する押圧部と、を有する支持部材と、を備え、
前記締結部と前記押圧部が、前記中空部の外周方向において互いに異なる位置に配置されており、
前記締結部が所定部位に締結されている状態において、前記先端部が前記中空部内に挿入されていて前記支持部材が前記当接部材を支持しており、
前記可動部が前記中空部の前記軸方向における端面によって係止された状態で、前記当接部が前記外壁に当接し、前記押圧部が前記枠体の前記外壁と対向する部分に当接することにより、前記押圧部が前記反力にて前記枠体を押圧することを特徴とする足場押圧部材。
【請求項２】
前記締結部と前記押圧部が、前記中空部の中心軸方向において互いに重なる位置に配置されており、
前記押圧部が、前記中空部から前記締結部側とは反対側に突出するように配置されていることを特徴とする請求項１に記載の足場押圧部材。
【請求項３】
前記当接部材の前記軸部は、外周面にネジ山が形成された棒体からなり、
前記当接部材の前記可動部は、内周面にネジ山が形成された筒部材からなり、該筒部材の貫通孔に前記棒体が挿入されていて前記軸部に組み付けられており、
前記支持部材の前記中空部は、丸パイプからなり、
前記支持部材の前記締結部は、前記丸パイプの外周面に取り付けられたクランプからなり、
前記支持部材の前記押圧部は、前記丸パイプの外周面から前記丸パイプの径方向に沿って突出した板材からなり、前記枠体と面接触した状態で前記枠体を押圧することを特徴とする請求項１又は２に記載の足場押圧部材。
【請求項４】
建物の外壁周りに建てられた足場と、
該建物の外壁と前記足場との間に配置され、前記外壁に当接した際の反力にて前記足場の枠体を押圧する足場押圧部材と、を備えた足場ユニットであって、
前記足場押圧部材は、
軸部と、該軸部の軸方向における一端部に設けられて前記外壁に当接する当接部と、該当接部よりも前記軸方向の他端側で前記軸部に組み付けられて前記軸部の外表面上を前記軸方向に沿って移動する可動部と、を有する当接部材と、
前記軸部の前記軸方向における他端側にある先端部が挿入される中空部と、該中空部の外側面に固定されており前記足場の所定部位に締結される締結部と、前記中空部の外側面から突出しており前記反力にて枠体を押圧する押圧部と、を有する支持部材と、を備え、
前記締結部と前記押圧部が、前記中空部の外周方向において互いに異なる位置に配置されており、
前記締結部が所定部位に締結されている状態において、前記先端部が前記中空部内に挿入されていて前記支持部材が前記当接部材を支持しており、
前記可動部が前記中空部の前記軸方向における端面によって係止された状態で、前記当接部が前記外壁に当接し、前記押圧部が前記枠体の前記外壁と対向する部分に当接することにより、前記押圧部が前記反力にて前記枠体を押圧し、
前記締結部は、前記枠体のうち、鉛直方向に沿って延びた鋼材に締結され、
前記押圧部は、前記枠体中に設けられた筋交状の鋼材のうち、前記外壁と対向する部分に当接した状態で前記枠体を押圧することを特徴とする足場ユニット。
【発明の詳細な説明】
【技術分野】
【０００１】
本発明は、足場押圧部材に係り、特に、建物の外壁の周りに設置された足場が建物方向に倒壊するのを抑制するために足場の枠体を押圧する足場押圧部材に関する。
【背景技術】
【０００２】
建物の外壁周りに設置された足場を補強するために壁繋ぎ部材を用いることは、既に知られている。壁繋ぎ部材の中には、足場が建物方向に倒壊するのを防止するために建物の外壁と当接したときの反力にて足場の枠体を押圧するもの、すなわち足場押圧部材が存在する。
【０００３】
従来の足場押圧部材として、特許文献１に記載された壁当て材を例に挙げて説明すると、特許文献１に記載の壁当て材は、支持筒と長さ調整ボルトと板材とを備えている。支持筒は、一端にクランプ金具を備え、他端に固定部材を備える。板材は、円板に略椀型形状のドーム材を固着した構成となっており、その頂部には長さ調整ボルトが固着されている。長さ調整ボルトは、支持筒に対して進退自在に移動可能である。そして、長さ調整ボルトを支持筒に対して移動させることで、壁当て材の全長が調整可能となる。
【０００４】
以上のように構成された壁当て材は、足場支柱にクランプ金具を締結し、建物の外壁に板材を押し当てた状態で用いられる。そして、かかる状態にあるときに長さ調整ボルトを伸ばす方向に移動させて壁当て材の全長を長くさせると、壁当て材が建物の外壁に当接し、そのときの反力が足場支柱に作用するようになる。この反力は、足場支柱を建物の外壁から離す方向に押圧する力（圧縮荷重）として機能するようになる。
【先行技術文献】
【特許文献】
【０００５】
【特許文献１】特開平１１−１００９８９号公報
【発明の概要】
【発明が解決しようとする課題】
【０００６】
ところで、特許文献１の壁当て材を使用するにあたっては、上述したように、クランプ金具を足場に締結し、板材を建物の外壁に押し当てることになる。さらに、壁当て材の全長、換言すると、クランプ金具と板材との間の距離については、押圧力を確保するのに十分な長さが必要となる。
【０００７】
一方で、建物の外壁と足場との間のスペースが比較的小さい場合には、特許文献１の壁当て材を用いようとしても、足場を押圧するのに十分な長さとなるまで当該壁当て材の全長を伸ばすことが困難となる。
【０００８】
そこで、本発明は、上記の課題に鑑みてなされたものであり、その目的とするところは、建物の外壁と足場との間のスペースが比較的小さくなる場合にも適切に足場を押圧することが可能な足場押圧部材を提供することである。
【課題を解決するための手段】
【０００９】
前記課題は、本発明の足場押圧部材によれば、建物の外壁と該外壁周りに建てられた足場との間に配置され、前記外壁に当接した際の反力にて前記足場の枠体を押圧する足場押圧部材であって、軸部と、該軸部の軸方向における一端部に設けられて前記外壁に当接する当接部と、該当接部よりも前記軸方向の他端側で前記軸部に組み付けられて前記軸部の外表面上を前記軸方向に沿って移動する可動部と、を有する当接部材と、前記軸部の前記軸方向における前記軸方向の他端側にある先端部が挿入される中空部と、該中空部の外側面に固定されており前記足場の所定部位に締結される締結部と、前記中空部の外側面から突出しており前記反力にて枠体を押圧する押圧部と、を有する支持部材と、を備え、前記締結部と前記押圧部が、前記中空部の外周方向において互いに異なる位置に配置されており、前記締結部が所定部位に締結されている状態において、前記先端部が前記中空部内に挿入されていて前記支持部材が前記当接部材を支持しており、前記可動部が前記中空部の前記軸方向における端面によって係止された状態で、前記当接部が前記外壁に当接し、前記押圧部が前記枠体の前記外壁と対向する部分に当接することにより、前記押圧部が前記反力にて前記枠体を押圧することにより解決される。
【００１０】
上記のように、本発明の足場押圧部材は、当接部材と支持部材により構成されている。当接部材は、軸部と、軸部の軸方向一端部に設けられて外壁に当接する当接部と、当接部よりも軸方向他端側で軸部の外表面上を可動部と、を有する。支持部材は、軸部の軸方向他端側にある先端部が挿入される中空部と、中空部に固定されており足場の所定部位に締結される締結部と、中空部から突出して足場の枠体を押圧する押圧部と、を有する。このような構成であれば、軸部上の任意の位置に締結部を移動させることが可能であるため、建物の外壁と足場との間のスペースが比較的小さい場合であっても、足場押圧部材を足場に適切に締結することが可能となる。また、当接部が外壁に当接し、かつ、押圧部が足場の枠体に当接している状態で可動部の位置を調整することで、足場への押圧力が適切に確保されるようになる。以上により、本発明の足場押圧部材であれば、建物の外壁と足場との間のスペースが比較的小さい場合であっても適切に足場を押圧することが可能である。
【００１１】
また、上記の足場押圧部材の好適な構成を述べると、前記締結部と前記押圧部が、前記中空部の中心軸方向において互いに重なる位置に配置されており、前記押圧部が、前記中空部から前記締結部側とは反対側に突出するように配置されていると良い。
以上の要領にて本発明の足場押圧部材を用いることで、当該足場押圧部材を適切にセットし、当該足場押圧部材にて適切に足場を押圧することが可能となる。
【００１２】
また、上記の足場押圧部材の好適な構成を述べると、前記当接部材の前記軸部は、外周面にネジ山が形成された棒体からなり、前記当接部材の前記可動部は、内周面にネジ山が形成された筒部材からなり、該筒部材の貫通孔に前記棒体が挿入されていて前記軸部に組み付けられており、前記支持部材の前記中空部は、丸パイプからなり、前記支持部材の前記締結部は、前記丸パイプの外周面に取り付けられたクランプからなり、前記支持部材の前記押圧部は、前記丸パイプの外周面から前記丸パイプの径方向に沿って突出した板材からなり、前記枠体と面接触した状態で前記枠体を押圧するとよい。
上記の構成であれば、比較的簡易な構造にて本発明の足場押圧部材を実現することが可能となる。
【００１３】
また前記課題は、本発明の足場ユニットによれば、建物の外壁周りに建てられた足場と、該建物の外壁と前記足場との間に配置され、前記外壁に当接した際の反力にて前記足場の枠体を押圧する足場押圧部材と、を備えた足場ユニットであって、前記足場押圧部材は、軸部と、該軸部の軸方向における一端部に設けられて前記外壁に当接する当接部と、該当接部よりも前記軸方向の他端側で前記軸部に組み付けられて前記軸部の外表面上を前記軸方向に沿って移動する可動部と、を有する当接部材と、前記軸部の前記軸方向における前記軸方向の他端側にある先端部が挿入される中空部と、該中空部の外側面に固定されており前記足場の所定部位に締結される締結部と、前記中空部の外側面から突出しており前記反力にて枠体を押圧する押圧部と、を有する支持部材と、を備え、前記締結部と前記押圧部が、前記中空部の外周方向において互いに異なる位置に配置されており、前記締結部が所定部位に締結されている状態において、前記先端部が前記中空部内に挿入されていて前記支持部材が前記当接部材を支持しており、前記可動部が前記中空部の前記軸方向における端面によって係止された状態で、前記当接部が前記外壁に当接し、前記押圧部が前記枠体の前記外壁と対向する部分に当接することにより、前記押圧部が前記反力にて前記枠体を押圧し、前記締結部は、前記枠体のうち、鉛直方向に沿って延びた鋼材に締結され、前記押圧部は、前記枠体中に設けられた筋交状の鋼材のうち、前記外壁と対向する部分に当接した状態で前記枠体を押圧することによっても解決される。
上記の構成であれば、足場の枠体のうち、締結部の締結箇所と押圧部による押圧箇所とが離れているため、足場押圧部材が足場の枠体に及ぼす力（荷重）を分散させることが可能となる。
【００１４】
また、上記の足場押圧部材の好適な構成を述べると、前記押圧部は、前記建物と該建物に隣接する構造物との間に配置された前記足場の前記枠体を押圧するとよい。
上記の構成であれば、本発明の足場押圧部材がより有意義なものとなる。すなわち、建物とこれに隣接する構造物との間に足場が配置されているケースでは、一般的に、建物の外壁と足場との間のスペースが比較的小さくなる。このようなケースにおいて本発明の足場押圧部材を用いれば、建物の外壁と足場との間に適切に足場押圧部材をセットし、当該足場押圧部材にて適切に足場の枠体を押圧することが可能となる。
【発明の効果】
【００１５】
本発明の足場押圧部材によれば、建物の外壁と足場との間のスペースが比較的小さくなる場合にも適切に足場を押圧し、当該足場を良好に補強することが可能となる。
【図面の簡単な説明】
【００１６】
【図１】建物の外壁周りに設けられた足場の正面図である。
【図２】本発明の一実施形態に係る足場押圧部材の説明図である。
【図３】支持部材の斜視図である。
【図４】足場に対して支持部材をセットした状態を示す図である。
【図５】足場に対してセットされた支持部材に当接部材を支持させた状態を示す図である。
【発明を実施するための形態】
【００１７】
以下、本発明の一実施形態（以下、本実施形態）に係る足場押圧部材について説明する。なお、以下に説明する実施形態は、本発明の理解を容易にするための一例であり、本発明を限定するものではない。すなわち、本発明は、その趣旨を逸脱することなく、変更、改良され得ると共に、本発明にはその等価物が含まれることは勿論である。
【００１８】
本実施形態に係る足場押圧部材について説明するにあたり、当該足場押圧部材が用いられる足場（以下、本実施形態に係る足場１）について図１を参照しながら説明する。本実施形態に係る足場１は、建物の施工作業、例えば、建設作業やメンテナンス作業を室外側から行うために用いられ、建物の外壁Ｗの周りに設置される。特に、本実施形態に係る足場１は、建物の外壁Ｗとこれに隣接する構造物（以下、隣接構造物）との間隔が比較的に小さい場合に用いられる。すなわち、本実施形態に係る足場１は、建物の外壁Ｗと隣接構造物との間に配置された状態で用いられるものである。
【００１９】
本実施形態の足場１は、図１に示すように、間隔を空けて配置される支柱２と、支柱２の間に配置される梁枠体３（「枠体」に相当）と、梁枠体３によって支えられる足場板６と、を構成要素としている。支柱２は、鋼製の丸パイプからなり、地面に対して垂直に立設されており、梁枠体３の側端部と係合することで梁枠体３を支えている。梁枠体３は、トラス構造をなすように梁部材を組み立てることで構成されたものである。より詳しく説明すると、梁枠体３は、その全長方向（支柱２と交差する方向）に三分割されており、全長方向の両端部に位置する端部梁枠４と、全長方向の中央部で端部梁枠４に挟まれる中央梁枠５と、を備えている。なお、梁枠体３は、複数の梁枠に分割可能なものに限定されず、分割不能な単一の構造体であってもよい。
【００２０】
端部梁枠４は、端部梁枠体４１を主要構成要素としている。端部梁枠体４１は、上梁材４２と下梁材４３と連結材４４と筋交材４５とによって構成されている。上梁材４２は、鋼製の丸パイプからなり、支柱２に対して直交する方向（すなわち、水平方向）に延出している。下梁材４３は、鋼製の丸パイプからなり、上梁材４２の下方に位置し、且つ、上梁材４２に平行に延出している。連結材４４は、上梁材４２及び下梁材４３との間で支柱２の延出方向（すなわち、鉛直方向）に沿って伸びた鋼材からなり、両梁材を連結している。筋交材４５は、筋交状の鋼材からなり、上梁材４２と下梁材４３とを架橋して連結している。
【００２１】
また、図１に示すように、上梁材４２の上部には足場板６が保持されている。さらに、図１に示すように、上梁材４２の延出方向両端部のうち、中央梁枠５とは反対側に位置する端部は、支柱２に向かって直線状に延出しており、不図示の係合構造によって支柱２の所定部位に係合して支柱２に連結している。また、図１に示すように、下梁材４３の延出方向両端部のうち、中央梁枠５とは反対側に位置する端部は、支柱２に向かって直線状に延出しており、不図示の接合構造によって支柱２の所定部位に接合して支柱２に連結している。また、図１に示すように、上梁材４２及び下梁材４３の各々の延出方向両端部のうち、中央梁枠５と同じ側に位置する端部には、連結板４６が取り付けられている。
【００２２】
中央梁枠５は、中央梁枠体５１を主要構成要素としている。中央梁枠体５１は、上梁材５２と下梁材５３と連結材５４と筋交材５５とによって構成されている。これらの構成は、端部梁枠体４１の上梁材４２、下梁材４３、連結材４４及び筋交材４５と略同様である。一方、上梁材５２及び下梁材５３の各々の延出方向両端部には連結板５６が取り付けられている。そして、図１に示すように、端部梁枠４の連結板４６と中央梁枠５の連結板５６とが互いに接合されて締結されることで、中央梁枠５の両端部に一対の端部梁枠４が組み付けられ、これにより梁枠体３が構成される。
【００２３】
ところで、本実施形態に係る足場１には、足場押圧部材としての壁繋ぎ部材１００が設けられている。この壁繋ぎ部材１００は、本実施形態に係る足場１が建物側に倒壊するのを防ぐために用いられ、建物の外壁Ｗから離れる向きに足場１の梁枠体３を押圧するもの、すなわち、圧縮用の壁繋ぎ部材である。具体的に説明すると、壁繋ぎ部材１００は、建物の外壁Ｗと足場１との間に配置され、外壁Ｗに当接した際の反力にて足場１の梁枠体３を押圧するものである。なお、圧縮用の壁繋ぎ部材は、一般的に、外壁Ｗ側に向かう向きの荷重（引張荷重）を梁枠体３に付与する壁繋ぎ部材、すなわち、引張用の壁繋ぎ部材と共に用いられる。本実施形態に係る足場１においても、特に図示はしていないが、圧縮用の壁繋ぎ部材である壁繋ぎ部材１００が引張用の壁繋ぎ部材と共に用いられている。
【００２４】
次に、壁繋ぎ部材１００の構成について図２及び３を参照しながら説明する。本実施形態に係る壁繋ぎ部材１００は、２つの部材から構成されており、図２に図示の当接部材１０と、図２及び図３に図示の支持部材２０等によって構成されている。当接部材１０は、一般に流通しているスクリュージャッキのジャッキベースからなり、図２に示すように、軸部１１と当接部１２と可動部１３とを有する。
【００２５】
軸部１１は、外周面にネジ山が形成された金属製の棒体からなる。当接部１２は、建物の外壁Ｗに当接する部品であり、軸部１１の軸方向一端部に固定されている。なお、本実施形態に係る当接部１２は、図２に示すように、円環状の板部に略椀型のドーム部を接合した形状となっている。また、当接部１２の端面である当接面は、プラスティックやゴムからなる緩衝材１２ａによって覆われている。
【００２６】
可動部１３は、当接部１２よりも軸方向他端側（当接部１２が固定されている側とは反対側）で軸部１１に組み付けられた部品であり、軸部１１の外表面上を軸方向に沿って移動する。なお、本実施形態に係る可動部１３は、内周面にネジ山が形成された筒部材からなり、具体的には、図２に示すようにハンドル１３ａが取り付けられた角筒形状のナットからなる。そして、可動部１３は、当該ナットの中央部に形成された貫通孔に軸部１１としての棒体が挿入されることで軸部１１に組み付けられている。また、ハンドル１３ａを操作して可動部１３を軸部１１周りに回転させることにより、可動部１３の内周面に形成されたネジ山と軸部１１の外周面に形成されたネジ山との噛み合い位置が変わり、この結果、可動部１３が軸部１１上を移動するようになる。
【００２７】
支持部材２０は、足場１の梁枠体３に締結された状態で当接部材１０を支持するものであり、図３に示すように、中空部２１と締結部２２と押圧部２３とを有する。中空部２１は、軸部１１の外径よりも若干大きい内径を有する金属製の丸パイプからなる。この中空部２１の内側には、図２に示すように、軸部１１中、軸方向他端側（当接部１２が固定されている側とは反対側）にある先端部が挿入される。
【００２８】
締結部２２は、足場１の所定部位に締結される部品であり、中空部２１に固定されている。なお、本実施形態に係る締結部２２は、クランプ、具体的には公知のクランプ金具からなり、中空部２１をなす丸パイプの外周面に固定用ブラケットを介して固定されている。押圧部２３は、壁繋ぎ部材１００が足場１の梁枠体３を押圧する際に実際に梁枠体３の所定部位に当接して当該部位を押圧する部分である。また、押圧部２３は、図３に示すように、中空部２１をなす丸パイプの外周面から当該丸パイプの径方向に沿って突出した略矩形状の金属板材からなり、中空部２１をなす丸パイプの外周面に溶接されている。すなわち、押圧部２３は、中空部２１と一体化している。
【００２９】
なお、本実施形態において、押圧部２３をなす板材は、中空部２１をなす丸パイプの中心軸方向（中空部２１に挿入された状態の軸部１１の軸方向に相当する方向）において、締結部２２をなすクランプが在る範囲（厳密には、クランプ取り付け用のブラケットがセットされている範囲）と重なる位置に溶接されている。また、本実施形態において、押圧部２３をなす板材は、中空部２１をなす丸パイプの外周方向において、締結部２２をなすクランプが在る範囲（厳密には、クランプ取り付け用のブラケットがセットされている範囲）から離れた位置に溶接されている。
【００３０】
次に、以上のように構成された壁繋ぎ部材１００の使用方法について図４及び５を参照しながら説明する。壁繋ぎ部材１００を使用するにあたっては、先ず、図４に示すように、支持部材２０を本実施形態に係る足場１中、梁枠体３の所定部位に締結する。より具体的に説明すると、梁枠体３のうち、端部梁枠体４１や中央梁枠体５１の連結材４４、５４（図４では、端部梁枠体４１の連結材４４）に支持部材２０の締結部２２を締結する。このとき、中空部２１の開口端が建物の外壁Ｗ側を向くように締結部２２を締結する。
【００３１】
また、締結部２２を締結する段階において、押圧部２３を図４に示すように本実施形態に係る足場１中、梁枠体３の所定部位に当接させておく。より具体的に説明すると、端部梁枠体４１や中央梁枠体５１の筋交材４５、５５（図４では、端部梁枠体４１の筋交材４５）に押圧部２３を当接させておく。厳密に説明すると、筋交材４５、５５のうち、締結部２２が締結されている連結材４４、５４と隣り合う位置にある筋交材４５、５５に押圧部２３を当接させておく。
【００３２】
さらに詳しく説明すると、筋交材４５、５５のうち、建物の外壁Ｗと対向する部分に押圧部２３を当接させておく。なお、この際、押圧部２３は、図４に示すように上記の筋交材４５、５５と面接触することになる。
【００３３】
上記の要領にて締結部２２を梁枠体３に締結した後、支持部材２０の中空部２１内に軸部１１の先端部（厳密には、可動部１３よりも先端に近い部分）を挿入する。これにより、図５に示すように支持部材２０が当接部材１０を支持するようになる。なお、当接部材１０が支持部材２０に支持されている状態では軸部１１の軸方向が水平方向に沿っている。また、中空部２１内に軸部１１を挿入する際には、軸部１１の軸方向において可動部１３が中空部２１の端面に当接する位置まで軸部１１を挿入する。
【００３４】
その後、可動部１３のハンドル１３ａを操作して可動部１３を軸部１１周りに回転させることにより、可動部１３を軸部１１の軸方向に沿って移動させる。より厳密に説明すると、軸部１１の先端に近付く向きに可動部１３を移動させる。一方、可動部１３は、軸部１１の軸方向において中空部２１の端面に当接した状態にある。すなわち、可動部１３は、中空部２１の端面によって係止された状態で軸部１１に対して相対移動することになる。これにより、実際には軸部１１が軸方向に沿って移動するようになり、より詳しくは、当接部材１０の当接部１２が建物の外壁Ｗに近付くように移動する。
【００３５】
最終的に、当接部１２が外壁Ｗに当接する位置まで可動部１３が軸部１１上を移動すると、当接部１２が外壁Ｗに当接した際の反力が押圧部２３に生じるようになる。より詳しく説明すると、当接部１２が外壁Ｗに当接した時点で押圧部２３は、本実施形態に係る足場１中の梁枠体３、厳密には、筋交材４５、５５のうちの外壁Ｗと対向する部分に当接している。そして、当接部１２が外壁Ｗに当接した際の当接力の大きさに応じた反力が生じ、かかる反力にて押圧部２３が梁枠体３を押圧するようになる。ちなみに、押圧部２３は、筋交材４５、５５と面接触した状態にあるため、梁枠体３を面（筋交材４５、５５との当接面）にて押圧することになる。
【００３６】
以上までに説明してきた手順に従って壁繋ぎ部材１００を使用することで、本実施形態に係る足場１の梁枠体３を適切に押圧することが可能となる。そして、本実施形態では、当接部材１０の軸部１１を支持部材２０の中空部２１に挿入して当接部材１０を支持する。また、支持部材２０の押圧部２３が梁枠体３の所定部位に面接触した状態で当接部材１０の当接部１２を建物の外壁Ｗに当接させた際に、その反力にて押圧部２３が梁枠体３の所定部位を押圧する。このような構成の壁繋ぎ部材１００を用いれば、建物の外壁Ｗと隣接構造物との間隔が比較的小さくなっている箇所に設置された足場１であっても、その梁枠体３を良好に押圧することが可能となる。
【００３７】
なお、上述した実施形態は、本発明の足場押圧部材の構成例の一つに過ぎず、上述した実施形態以外の実施形態も考えられる。例えば、本実施形態において当接部材１０は、一般に流通しているスクリュージャッキのジャッキベースからなることとしたが、軸部１１と当接部１２と可動部１３を有する構成である以上、ジャッキベースとは異なる構造の当接部材であってもよい。また、本実施形態において支持部材２０の締結部２２は、クランプからなることとしたが、足場１に締結可能な構造であればクランプ以外の部品であってもよく、例えば楔構造の締結部であってもよい。また、足場において締結部２２が締結される箇所や、足場の枠体において支持部材２０の押圧部２３が押圧する箇所については、上述した実施形態の中で述べた箇所と異なる箇所であってもよい。
【符号の説明】
【００３８】
１  足場、２  支柱
３  梁枠体（枠体）、４  端部枠体
５  中央枠体、６  足場板
１０  当接部材、１１  軸部
１２  当接部、１２ａ  緩衝材
１３  可動部、１３ａ  ハンドル
２０  支持部材、２１  中空部
２２  締結部、２３  押圧部
４１  端部梁枠体、４２  上梁材
４３  下梁材、４４  連結材
４５  筋交材、４６  連結板
５１  中央梁枠体、５２  上梁材
５３  下梁材、５４  連結材
５５  筋交材、５６  連結板
１００  壁繋ぎ部材
Ｗ  外壁
【図１】
0006690909.tif 000002
【図２】
0006690909.tif 000003
【図３】
0006690909.tif 000004
【図４】
0006690909.tif 000005
【図５】
0006690909.tif 000006